(57)【要約】【課題】ランプの光量変動によって生じる読み取りデータの変動を抑える。【解決手段】光電変換により原稿画像の反射光をアナログ電気信号に変換するＣＣＤ１０５と、ＣＣＤ１０５から出力されるアナログ電気信号のゲインを調整するゲイン調整部１２６及び可変ゲインアンプ１２３Ｒ，１２３Ｇ，１２３Ｇを備えたアナログ信号処理ＩＣ１２０と、アナログ信号処理ＩＣ１２０からの出力をデジタル信号に変換するＡ／Ｄ変換器１２４，１２４Ｒ，１２４Ｇ，１２４Ｂ手段と、を有する画像読み取り装置において、間欠シェーディングで原稿を読み取る際に、ランプの発熱による光量の変動をサーミスタ１２８の分圧電位により検知し、メモリ１２７に記憶した１枚目の分圧電位と比較して前記光量の変動を補正する補正手段１２１Ｔ，１２２Ｔ，１２３Ｔ，１２４Ｔを備えた。【選択図】図３
2008078795.tif 000002
【特許請求の範囲】
【請求項１】
光電変換により原稿画像の反射光をアナログ電気信号に変換する光電変換素子と、
光電変換素子から出力されるアナログ電気信号のゲインを調整するゲイン調整手段を備えたアナログ信号処理手段と、
アナログ信号処理手段からの出力をデジタル信号に変換するＡ／Ｄ変換手段と、
を有する画像読み取り装置において、
間欠シェーディングで原稿を読み取る際に、ランプの発熱による光量の変動を検知し、前記ゲイン調整手段によるゲイン調整により前記光量の変動を補正する補正手段を備えていることを特徴とする画像読み取り装置。
【請求項２】
前記アナログ信号処理手段が６ｃｈ入力アナログ信号処理回路からなり、
前記ランプの管面温度をランプ管面に設置したサーミスタの分圧電位として検知し、前記サーミスタの分圧電位を前記６ｃｈ入力アナログ信号処理回路の空き入力端子の１つに入力することを特徴とする請求項１記載の画像読み取り装置。
【請求項３】
前記アナログ信号処理手段が６ｃｈ入力アナログ信号処理回路からなり、
前記ランプにＲＧＢ３色光源切り換え方式を使用し、前記ランプの管面温度をランプ管面に設置したサーミスタの分圧電位として検知し、前記ランプ管面温度の測定は各色毎の空き入力端子に前記サーミスタでの分圧電位を入力することを特徴とする請求項１記載の画像読み取り装置。
【請求項４】
前記空き入力端子に前記サーミスタでの分圧電位の入力を制御するスイッチを備えていることを特徴とする請求項２又は３記載の画像読み取り装置。
【請求項５】
前記スイッチは、複数枚連続読み取り時での紙間でオンされることを特徴とする請求項４記載の画像読み取り装置。
【請求項６】
前記スイッチは、キャリッジの静止中にオンされることを特徴とする請求項５記載の画像読み取り装置。
【請求項７】
サンプリングした分圧電位がある閾値以上になった場合、ランプ異常と判断し、その旨をユーザに伝える手段を備えていることを特徴とする請求項１ないし６のいずれか１項に記載の画像読み取り装置。
【請求項８】
１枚目読み取り時の分圧電位、及び１枚目読み取り時の分圧電位と基準白板読み取り値との関係を示すデータを格納するための記憶手段を前記アナログ信号処理手段が備えていることを特徴とする請求項１ないし７のいずれか１項に記載の画像読み取り装置。
【請求項９】
ｎ枚目（ｎは２以上の整数）の前記ゲイン調整は、１枚目読み取り時の分圧電位、及び１枚目読み取り時の分圧電位と基準白板読み取り値との関係を示すデータとｎ枚目に検知したランプ光量とを比較し、ランプ光量のｎ枚目のゲイン値を１枚目のランプ光量のゲイン値に補正することにより行われることを特徴とする請求項１ないし８のいずれか１項に記載の画像読み取り装置。
【請求項１０】
請求項１ないし９のいずれか１項に記載の画像読み取り装置を備えていることを特徴とする画像形成装置。
【発明の詳細な説明】
【技術分野】
【０００１】
本発明は、読み取り時の照明用ランプの発熱による光量変化を補正する機能を備えた画像読み取り装置、及び当該画像読み取り装置を備えた画像形成装置に関する。
【背景技術】
【０００２】
この種の技術として特許文献１に記載された発明が知られている。この発明は、白レベル調整時にランプの温度に応じて白レベル目標値を調整し、Ａ／Ｄ変換器のダイナミックレンジを最大限に使用することを目的としてなされたもので、読み取りセンサの画素毎の感度のばらつき、及び、光源の照明むらを補正するシェーディング補正を行う画像読み取り装置において、前記光源に使用されるランプの温度を検出する検出手段と、前記検出手段により検出された前記ランプの温度に基づいて、前記ランプの光量を算出する光量算出手段と、前記光量算出手段により算出された前記ランプの光量に基づいて、前記シェーディング補正における白色補正の目標値となる白色レベル目標値を算出する目標値算出手段と、を備え、前記シェーディング補正における白色補正は、前記目標値算出手段により算出された前記白色レベル目標値に基づいて行われることを特徴としている。
【０００３】
一方、原稿読み取り装置における読み取り方式には、フラットベッド方式と呼ばれる方式のものとシートスルー方式と呼ばれる方式のものとがある。このうちフラットベッド方式は、コンタクトガラス上に載置された原稿を走行する光学系により読み取る方式のもので、シートスルー方式は、固定された光学系に対して原稿を移動させて読み取る方式のものである。多くの場合、原稿読み取り装置に備えられる原稿自動給装装置（ＡＤＦ）は両者の機能を備え、原稿の種類あるいはユーザの選択によっていずれかの方式で原稿は読み取られる。
【０００４】
また、前記シェーディング補正を行うために、基準白板（白基準板）と称させる白色補正の基準となる板状の部材が設けられ、シェーディング補正を行う場合、この基準白板を読み取って白基準値を補正するようになっている。
【０００５】
ところで、シートスルー方式で読み取る場合、複数枚の連続読み取り時においては機種によっては生産性確保のため、シェーディング補正を行うための上記基準白板の読み取り動作を最初の１枚目の原稿の読み取り時のみ実施し、以降の原稿はこの最初に取得したシェーディングデータを使ってシェーディング補正している。これによって複数枚の原稿に対応する基準白板の読み取り動作を省略し、２枚目以降の読み取り動作時間の短縮化を図っている。これを間欠シェーディングという。間欠シェーディングの場合、最初に取得したシェーディングデータは後段のシェーディング補正をするための画像処理ＩＣに格納されている。
【特許文献１】特開２００４−１１２０４８号公報
【発明の開示】
【発明が解決しようとする課題】
【０００６】
しかしながら、複数枚連続読み取り時において、ランプの連続時間点灯の発熱による短期の光量低下によって原稿の読み取りレベルが下がってしまい、最初と同じシェーディングデータを使って、シェーディング補正を行っていくと、最初と最後の読み取り原稿の濃度が違ってしまうという問題が起こり得る。  一方、前記特許文献１記載の発明は、ダイナミックレンジを最大限使用することを目的とし、白色補正を目標値算出手段によって算出された白色レベル目標値に基づいて行うように構成されていることから、最初と最後の読み取り原稿の濃度が違ってしまうという問題までは対処することはできなかった。
【０００７】
そこで、本発明が解決すべき課題は、ランプの光量変動によって生じる読み取りデータの変動を抑えることにある。
【課題を解決するための手段】
【０００８】
前記解決するため、第１の手段は、光電変換により原稿画像の反射光をアナログ電気信号に変換する光電変換素子と、光電変換素子から出力されるアナログ電気信号のゲインを調整するゲイン調整手段を備えたアナログ信号処理手段と、アナログ信号処理手段からの出力をデジタル信号に変換するＡ／Ｄ変換手段と、を有する画像読み取り装置において、間欠シェーディングで原稿を読み取る際に、ランプの発熱による光量の変動を検知し、前記ゲイン調整手段によるゲイン調整により前記光量の変動を補正する補正手段を備えていることを特徴とする。
【０００９】
第２の手段は、第１の手段において、前記アナログ信号処理手段が６ｃｈ入力アナログ信号処理回路からなり、前記ランプの管面温度をランプ管面に設置したサーミスタの分圧電位として検知し、前記サーミスタの分圧電位を前記６ｃｈ入力アナログ信号処理回路の空き入力端子の１つに入力することを特徴とする。
【００１０】
第３の手段は、第１の手段において、前記アナログ信号処理手段が６ｃｈ入力アナログ信号処理回路からなり、前記ランプにＲＧＢ３色光源切り換え方式を使用し、前記ランプの管面温度をランプ管面に設置したサーミスタの分圧電位として検知し、前記ランプ管面温度の測定は各色毎の空き入力端子に前記サーミスタでの分圧電位を入力することを特徴とする。
【００１１】
第４の手段は、第２又は第３の手段において、前記空き入力端子に前記サーミスタでの分圧電位の入力を制御するスイッチを備えていることを特徴とする。
【００１２】
第５の手段は、第４の手段において、前記スイッチが複数枚連続読み取り時に紙間でオンされることを特徴とする。
【００１３】
第６の手段は、第５の手段において、前記スイッチがキャリッジの静止中にオンされることを特徴とする。
【００１４】
第７の手段は、第１ないし第６のいずれかの手段において、サンプリングした分圧電位がある閾値以上になった場合、ランプ異常と判断し、その旨をユーザに伝える手段を備えていることを特徴とする。
【００１５】
第８の手段は、第１ないし第７のいずれかの手段において、１枚目読み取り時の分圧電位、及び１枚目読み取り時の分圧電位と基準白板読み取り値との関係を示すデータを格納するための記憶手段を前記アナログ信号処理手段が備えていることを特徴とする。
【００１６】
第９の手段は、第１ないし第８のいずれかの手段において、ｎ枚目（ｎは２以上の整数）の前記ゲイン調整は、１枚目読み取り時の分圧電位、及び１枚目読み取り時の分圧電位と基準白板読み取り値との関係を示すデータとｎ枚目に検知したランプ光量とを比較し、ランプ光量のｎ枚目のゲイン値を１枚目のランプ光量のゲイン値に補正することにより行われることを特徴とする。
【００１７】
第１０の手段は、第１ないし第９のいずれかの手段に係る画像読み取り装置を画像形成装置が備えていることを特徴とする。
【００１８】
なお、後述の実施形態では、光電変換素子はＣＣＤ１０５に、ゲイン調整手段はゲイン調整部１２６及び可変ゲインアンプ１２３，１２３Ｒ，１２３Ｇ，１２３Ｂに、アナログ信号処理手段はアナログ信号処理ＩＣ１２０に、Ａ／Ｄ変換手段はＡ／Ｄ変換器１２４，１２４Ｒ，１２４Ｇ，１２４Ｂに、ランプは１０１ａに、補正手段はサーミスタ１２８、固定抵抗１２９、分圧回路１３０、スイッチ１３１、ラインクランプ回路１２１Ｔ、サンプルホールド回路１２２Ｔ、可変ゲインアンプ１２３Ｔ、Ａ／Ｄ変換器１２４Ｔ、及びメモリ１２７に、ユーザに伝える手段は図示しない表示装置に、記憶手段はメモリ１２７に、それぞれ対応する。
【発明の効果】
【００１９】
本発明によれば、ランプの光量変動によって生じる読み取りデータの変動を抑えることができる。
【発明を実施するための最良の形態】
【００２０】
以下、図面を参照し、本発明の実施形態について説明する。
【００２１】
図１は従来から一般的に使用されている画像読み取り装置の要部を示す概略構成図である。同図に示すように縮小光学系でのスキャン動作は、圧板読み取り時は第１キャリッジ（走行体）１０１が副走査方向に移動しながら、原稿情報として原稿１０３からの反射光を読み取り、この反射光を第１キャリッジ１０１の１／２で追従して副走査方向に移動する第２キャリッジ１０２のミラーで反射させてレンズ１０４に導き、このレンズ１０４によってＣＣＤ（光電変換素子）１０５の結像面上に結像させ、ＣＣＤ１０４で光電変換し、光情報をアナログ電気信号に変換している。得られたアナログ電気信号は、アナログ処理、及びデジタル処理を施し、画像情報をデジタルデータとして読み取っている。また、原稿の主走査分布を均一にするために、シェーディング補正を行うがそのための基準白板１０６の読み取りデータを、原稿をスキャンする前に毎回取得している。
【００２２】
図２はシートスルー方式で原稿を読み取るときの概略構成を示す図である。シートスルー読み取り時は図２のように原稿がシートスルー搬送ドラム１０７によって読み取り面に送られてくる前に第１キャリッジ１０１が基準白板１０６の直下に移動し、その後、読み取り面に移動して原稿を読み取る形となっている。
【００２３】
図３は本発明の実施形態に係る画像読み取り装置の画像データの処理構成を示すブロック図である。同図において、画像データの処理構成は、ＲＧＢ１ｃｈ（系統）出力カラーＣＣＤ１０５と、ＲＧＢ３色それぞれに設けられたアナログバッファ１１１Ｒ，１１１Ｇ，１１１Ｂと、６ｃｈ入力アナログ信号処理ＩＣ（ブロック）１２０と、サーミスタ１２８及び固定抵抗１２９からなる分圧回路１３０と、から基本的に構成されている。
【００２４】
ＣＣＤ１０５において得られたＲＧＢ各色のアナログ電気信号はアナログ処理を行うアナログ信号処理ＩＣ１２０へアナログバッファ１１１Ｒ，１１１Ｇ，１１１Ｂを介して入力される。アナログ処理ブロック１２０は、ラインクランプ回路１２１、サンプルホールド回路１２２、可変ゲインアンプ１２３、Ａ／Ｄ変換器１２４、ＬＶＤＳ（low voltage differential signaling）  Ｉ／Ｆ１２５から構成される。また、６ｃｈ入力アナログ処理ＩＣの余った３ｃｈのうちの１つを温度検知端子として使用し、前記分圧回路１３０が接続される。なお、温度検知端子には前記分圧回路１３０に接続されたスイッチ１３１が設けられ、分圧回路１３０からアナログ信号処理ＩＣ１２０への入力を制御できるようになっている。
【００２５】
ラインクランプ回路１２１は交流結合後の入力端子電位を規定するためのもので、サンプルホールド回路１２２はカラーリニアイメージセンサ出力信号の信号成分のみを取り出すためのもので、可変ゲインアンプ１２３は指定した増幅率でサンプルホールド後の信号を増幅するためのものである。
【００２６】
前記ラインクランプ回路１２１、サンプルホールド回路１２２、可変ゲインアンプ１２３、Ａ／Ｄ変換回路１２４はそれぞれＲＧＢ各色及び分圧回路１３０分の４ｃｈ（Ｒ，Ｇ，Ｂ，Ｔ）分設けられている。また、可変ゲインアンプ１２３のゲイン調整の基準値を各可変ゲインアンプに供給するためのゲイン調整部１２６を備え、このゲイン調整部１２６には、１枚目読み取り時の分圧電位、及び分圧電位（光量）と基準白板読み取り値との関係を示すデータを格納するメモリ１２７が接続されている。前記基準値は分圧回路１３０のＡ／Ｄ変換回路１２４Ｔの出力と、メモリ１２７に格納された１枚目読み取り時の分圧電位とから後述のように設定される。
【００２７】
ＲＧＢ各色毎にラインクランプ回路１２１Ｒ，１２１Ｇ，１２１Ｂへ入力され、各ラインクランプ回路１２１Ｒ，１２１Ｇ，１２１Ｂで各色毎に設けられたＣＣＤ出力１ライン中の光シールド部分又は空転送部分の出力レベルに対してラインクランプ動作が行われる。ラインクランプを施された画像データは、サンプルドホールド（Ｓ＆Ｈ）部１２２Ｒ，１２２Ｇ，１２２Ｇでサンプルホールドされ、サンプルホールドされた画像信号は可変ゲインアンプ１２３Ｒ，１２３Ｇ，１２３Ｂで増幅される。可変ゲインアンプ１２３Ｒ，１２３Ｇ，１２３Ｂは、ゲイン調整部１２６から出力される基準値に基づいてサンプルホールドされた画像信号を増幅する。増幅された画像信号はＡ／Ｄコンバータ１２４Ｒ，１２４Ｇ，１２４Ｂにおいて基準電圧から生成されるリファレンスレベルに基づきデジタル信号に変換され、原稿のデジタルデータを得る。このようなデータ処理は、ＲＧＢ１ｃｈ出力のカラーＣＣＤ１０５では３チャンネル同時に行われる。
【００２８】
なお、アナログ信号処理ＩＣ１２０のラインクランプ回路１２１、サンプルホールド回路１２２、可変ゲインアンプ１２３、Ａ／Ｄ変換回路１２４は従来の画像読み取り装置のデータ処理構成でも使用されている。
【００２９】
図４は光源にＲＧＢ３色光源切り換え方式を使っている画像読み取り装置の画像データの処理構成を示すブロック図である。この光源にＲＧＢ３色光源切り換え方式を使っている画像読み取り装置では、アナログ信号処理ＩＣ１２０が６チャンネルであり、ＲＧＢ各色の入力端子以外の３端子を温度検知端子に設定し、その３ｃｈの温度検知端子のそれぞれに切り換えた光源であるランプ１０１ａに接続されたサーミスタ１２８Ｒ，１２８Ｇ，１２８Ｂを含む分圧回路１３０Ｒ，１３０Ｇ，１３０Ｂを接続する。分圧回路１３０Ｒ，１３０Ｇ，１３０Ｂはそれぞれ分圧抵抗１２９Ｒ，１２９Ｇ，１２９Ｂを有し、図４に示した分圧回路１３０と同一である。また、図４の例では、１つのサーミスタ１２８で検知した温度から分圧データを得て、ゲイン調整の基準値を供給しているが、図４の例では、各色毎に設けられたサーミスタ１２８Ｒ，１２８Ｇ，１２８Ｂで検知したそれぞれの温度からそれぞれの分圧データを得て、各色毎にゲイン調整の基準値を供給して処理するようになっている。この点が図３の例と異なるだけなので、色を示すＲＧＢを添え字として付し、重複する説明は省略する。
【００３０】
図５はサーミスタの設置位置を示す図である。同図に示すようにサーミスタ１２８は第１キャリッジ１０１のランプ１０１ａの管面に設置されている。温度検知端子にはこのランプ管面温度に対応したサーミスタの抵抗で分圧された電位が入力される。なお、固定抵抗１２９、サーミスタ１２８は分圧電位がアナログ信号処理ＩＣ１２０の入力電圧範囲に入るように選ばれる。
【００３１】
図６は間欠シェーディングにおけるシートスルーでの複数枚連続読み取り時の処理手順を示すフローチャートである。複数枚連続読み取りがスタートすると（ステップＳ１０１）、１枚目の原稿については、第１キャリッジ１０１を基準白板１０６の下の基準白板読み取り位置（図２波線位置）に移動させ（ステップＳ１０２）、シェーディング補正用の基準白板１０６を読み、基準白板データを得る（ステップＳ１０２，Ｓ１０３）。その後、第１キャリッジ１０１がシートスルー時の読み取り位置に移動し（ステップＳ１０４）、第１及び第２キャリッジ１０１，１０２が静止した状態で温度検知端子のスイッチ１３１をＯＮし、そのときのサーミスタの抵抗値で分圧された電位をアナログ信号処理ＩＣ１２０の温度検知端子に印加する。そして、前記印加された電位をアナログ信号処理ＩＣ１２０内のラインクランプ１２１Ｔ及びサンプルホールド回路１２２Ｔでサンプリングし、ＣＣＤ信号と同じく可変ゲインアンプ１２３Ｔでゲイン調整した後、Ａ／Ｄ変換器１２４Ｔでデジタルデータに変換する（ステップＳ１０５，Ｓ１０６）。次いで、デジタルデータに変換されたそのデータをアナログ信号処理ＩＣ１２０内のメモリ１２７に格納する（ステップＳ１０７）。その後、１枚目の原稿を読み取る（ステップＳ１０８）。
【００３２】
この実施形態では、間欠シェーディングのため、２枚目以降は基準白板１０６の読み取り動作は行わず、第１キャリッジ１０１をシートスルー読み取り時の位置（図２実線位置）に固定し、原稿を読み取っていく。その際、１枚目と２枚目の紙間において、スイッチ１３１をＯＮし、１枚目と同様にそのときのサーミスタ１２８の抵抗値で分圧された電位をアナログ信号処理ＩＣ１２０に入力、サンプリングし、デジタルデータに変換する（ステップＳ１０９）。その際、２枚目に取得した分圧された電位のデジタルデータと、アナログ信号処理ＩＣ１２０内部のメモリ１２７に格納された１枚目に取得したデジタルデータをゲイン調整部１２６において比較する（ステップＳ１１０，Ｓ１１１）。
【００３３】
前記メモリ１２７にはこの１枚目のデジタルデータのほかに分圧電位（光量）と基準白板読み取り値の対応を示す対応表が格納されており、この対応表を前記メモリ１２７から読み出し、その光量変動の補正量を求め（ステップＳ１１２）、最初に読み取った原稿と同じ濃度になるように可変ゲインアンプ（ＶＧＡ）１２３のゲイン値を更新し（ステップＳ１１３）、原稿を読み取っていく。例えば、複数枚読み取り動作開始時（１枚目）での光量（分圧電位）での基準白板読み取り値をＷ０、ゲイン値をＧ０とし、ｎ枚目（ｎは２以上の整数）読み取り時での光量分圧電位での基準白板読み取り値をＷｎ、ゲイン値をＧｎとするとｎ枚目のゲイン値Ｇｎは、
Ｇｎ＝（Ｗ０／Ｗｎ）・Ｇ０  ・・・（１）
の式で補正された値となる。そして、ｎ枚目の原稿読み取り時にはこの補正したゲイン値を使用する（ステップＳ１１４）。これを１枚毎の読み取り動作で行っていく（ステップＳ１１５）。
【００３４】
前記対応表は使用するランプの光量、温度特性、及び各光量でのサーミスタでの分圧電位と基準白板読み取り値を予め調べておき、前記メモリ１２７に例えばテーブルとして格納しておく。
【００３５】
また、この分圧電位のデジタルデータがある閾値以上（使用するサーミスタによっては閾値以下）になった場合、ランプ１０１ａの管面温度が動作温度範囲外になったと判断し（ステップＳ１１０−ｎｏ）、その旨を図示しない表示装置に表示することによってユーザに知らせ（ステップＳ１１６）、読み取り動作を停止する。この閾値もランプ動作温度範囲外での分圧電位と基準白板読み取り値を予め調べておき前記メモリ１２７に格納しておく。
【００３６】
このように処理することにより、複数枚連続読み取り時において、時間の経過によってランプ１０１ａの光量低下が発生しても、最初と最後の読み取り原稿の濃度を一致させることができる。
【００３７】
なお、図４に示した例では、各色毎にサーミスタ１２８の分圧電位を取り込み、各色毎に図６のフローチャートの処理手順でゲイン調整を行い、その調整されたゲイン値に基づいてシェーディング補正が行われる。
【００３８】
図７は前記画像読み取り装置を備えた係る画像形成装置の一例を示す概略構成図である。同図において、画像形成装置はモノクロ画像形成用のデジタル複写機であって本体ＰＲと、画像形成装置本体ＰＲの上部の設置された画像読み取り装置５００と、さらにその上に装着された自動原稿給送装置（以下、「ＡＤＦ」と称す）５５０と、画像形成装置本体ＰＲの同図において右側に配置された大容量給紙装置７００と、画像形成装置本体ＰＲの同図において左側に配置された用紙後処理装置８００とから基本的に構成されている。
【００３９】
画像形成装置本体ＰＲは画像書き込み部４１０と、作像部４２０と、定着部４３０と、両面搬送部４４０と、給紙部４５０と、垂直搬送部４６０と、手差し部４７０とからなる。
【００４０】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００４１】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００４２】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００４３】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００４４】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００４５】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体ＰＲ側の画像形成動作の中断を避けることができるようになっている。
【００４６】
画像読み取り装置５００は、ＡＤＦ５５０によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００４７】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【００４８】
このように本実施形態によれば、
１）間欠シェーディングを用いた複数枚連続読み取りの際、ランプ１０１ａの温度変化からランプ光量の短期変動量を検知し、アナログ信号処理ＩＣ１２０のゲインで補正することによって、読み取りデータの変動を抑えることが可能となる。また、アナログ値をゲインで補正するため、デジタル値で補正するよりも精度のよい補正が可能となる。  
２）ランプ１０１ａの温度検知データとしてサーミスタ１２８での分圧電位を６ｃｈ入力アナログ信号処理ＩＣ１２０の空き入力端子に入力し、各処理をアナログ信号処理ＩＣ１２０内の既存の処理回路で行うことにより、システムの膨大化を防ぐことが可能となる。３）ランプ１０１ａに３色系統の光源切り換え方式を使う画像読み取り装置において、ランプ１０１ａそれぞれの温度検知データとして各色毎にサーミスタ１２８Ｒ，Ｇ，Ｂでの分圧電位を空いているアナログ信号処理ＩＣ１２０の３ｃｈの空き端子にそれぞれ入力し、各処理をアナログ信号処理ＩＣ１２０内の既存の処理回路で実行するので、各色毎のランプの光量低下のばらつきを抑えることが可能となる。  
４）空き入力端子にサーミスタ１２８での分圧電位の入力のタイミングを制御するためのスイッチ１３１を備えているので、サーミスタ１２８における分圧電位のサンプリングを任意のタイミングで実行することができる。  
５）複数枚連続読み取り時には、読み取り原稿の紙間のタイミングでスイッチ１３１をＯＮして前記ランプ１０１ａの分圧電位をサンプリングしてデジタルデータに変換し、ゲイン補正を行うので、スキャン動作速度に対応することができる。  
６）紙間のスイッチＯＮ時のタイミングでは第１キャリッジ１０１は静止しているので、走行風による温度変化の影響をうけず、精度のよいランプ管面温度の測定をすることができる。  
７）サーミスタ１２８でサンプリングした分圧電位がある閾値以上使用するサーミスタ１２８によっては閾値以下になった場合、ランプ管面温度が動作温度範囲外になったと判断し、その旨をユーザに伝えることによりランプ１０１ａの温度状態異常をいち早くユーザに知らせることができる。  
８）ゲイン補正を行っていくにあたり、予め分圧電位と白板読み取りレベルの対応表、１枚目読み取り時の分圧電位のデジタルデータを格納するためのメモリ１２７をアナログ信号処理ＩＣ１２０に備えているので、原稿毎のゲイン補正を外部との通信を行わずに内部で迅速に行っていくことができる。
９）アナログ信号処理ＩＣ１２０を使うことによって、読み取り時での迅速なゲイン補正動作を行うことができる。
１０）このような画像読み取り装置を使用して原稿画像を読み取り、画像形成を行うようにすれば、画像形成の生産速度を速めることができる。  
等の効果を奏する。
【図面の簡単な説明】
【００４９】
【図１】本実施形態において実施されている従来からの縮小光学系のスキャナ動作を示す説明図である。
【図２】図１の縮小光学系のシートスルー時の動作を示す説明図である。
【図３】本発明の実施形態に係る画像読み取り装置の電気的構成を示すブロック図である。
【図４】図３における温度検知を３チャンネル備えた構成を示すブロック図である。
【図５】図３におけるサーミスタの取り付け位置を示す図である。
【図６】間欠シェーディングでのシートスルー時複数枚連続読み取り時の処理手順を示すフローチャートである。
【図７】本発明の実施形態に係る画像形成装置の概略構成を示す図である。
【符号の説明】
【００５０】
１０１  第１キャリッジ
１０２  第２キャリッジ
１０３  原稿
１０４  レンズ
１０５  ＣＣＤ
１０６  基準白板
１０７  搬送ドラム
１２０  アナログ信号処理ＩＣ（ブロック）
１１１，１１１Ｒ，１１１Ｇ，１１１Ｂ  アナログバッファ
１２１，１２１Ｒ，１２１Ｇ，１２１Ｂ  ラインクランプ回路
１２２，１２２Ｒ，１２２Ｇ，１２２Ｂ  サンプルホールド回路
１２３，１２３Ｒ，１２３Ｇ，１２３Ｂ  可変ゲインアンプ
１２４，１２４Ｒ，１２４Ｇ，１２４Ｂ  Ａ／Ｄ変換器
１２５  ＬＶＤＳ  Ｉ／Ｆ
１２６  ゲイン調整部
１２７  メモリ
１２８  サーミスタ
１２９  固定抵抗
１３０  分圧回路
１３１  スイッチ
５００  画像読み取り装置
ＰＲ  画像形成装置
【図１】
2008078795.tif 000003
【図２】
2008078795.tif 000004
【図３】
2008078795.tif 000005
【図４】
2008078795.tif 000006
【図５】
2008078795.tif 000007
【図６】
2008078795.tif 000008
【図７】
2008078795.tif 000009